(57)【要約】      （修正有）【課題】透過した光を明るく表示する加飾層を有する加飾シートを提供する。【解決手段】加飾シート２０は、絵柄部３１と、絵柄部３１の非形成部である透過部３２と、を有する加飾層３０を備える。透過部３２は、長手方向を有する。透過部３２の長手方向と非平行な方向を軸として、少なくとも一部が曲面状に湾曲している。【選択図】図４
2018163344.tif 000002
【特許請求の範囲】
【請求項１】
絵柄部と、前記絵柄部の非形成部である透過部と、を有する加飾層を備え、
前記透過部は、長手方向を有し、
前記透過部の長手方向と非平行な方向を軸として、少なくとも一部が曲面状に湾曲している、加飾シート。
【請求項２】
前記加飾層に積層された光拡散層と、
前記加飾層と前記光拡散層との間に配置された遮光部と、
前記加飾層と前記遮光部との間に配置された遮蔽部と、をさらに備え、
前記光拡散層は、幅が前記加飾層から離間するにつれて太くなるよう変化している部分を有する、請求項１に記載の加飾シート。
【請求項３】
前記加飾層に積層された光制御層をさらに備え、
前記光制御層は、前記絵柄部と重なる位置に配置された第１部分と、前記第１部分と前記長手方向に交差する方向に交互に配置された可視光透過性を有する第２部分と、を有し、
前記第１部分と前記第２部分との界面が、反射面を形成し、
前記第１部分は、幅が前記加飾層から離間するにつれて細くなるよう変化している、請求項１に記載の加飾シート。
【請求項４】
請求項１乃至３のいずれか一項に記載の加飾シートからなる透過型スクリーンと、
前記透過部の長手方向に平行な方向において、前記透過型スクリーンの中心の法線方向からずれた位置に配置された映像光源と、を備える、表示装置。
【請求項５】
絵柄部と、前記絵柄部の非形成部であって長手方向を有する透過部と、を有する加飾層を備える加飾シートからなる透過型スクリーンと、
前記透過部の長手方向において、前記透過型スクリーンの中心の法線方向から平行な方向にずれた位置に配置された映像光源と、を備える、表示装置。
【請求項６】
前記透過型スクリーンは、前記加飾層に積層された光拡散層と、前記加飾層と前記光拡散層との間に配置された遮光部と、前記加飾層と前記遮光部との間に配置された遮蔽部と、をさらに備え、
前記光拡散層は、幅が前記加飾層から離間するにつれて太くなるよう変化している部分を有する、請求項５に記載の表示装置。
【請求項７】
前記透過型スクリーンは、前記加飾層に積層された光制御層をさらに備え、
前記光制御層は、前記絵柄部と重なる位置に配置された第１部分と、前記第１部分と前記長手方向に交差する方向に交互に配置された可視光透過性を有する第２部分と、を有し、
前記第１部分と前記第２部分との界面が、反射面を形成し、
前記第１部分は、幅が前記加飾層から離間するにつれて細くなるよう変化している、請求項５に記載の表示装置。
【請求項８】
前記透過型スクリーンは、平板状である、請求項５乃至７のいずれか一項に記載の表示装置。
【請求項９】
請求項１乃至３のいずれか一項に記載の加飾シートと、
前記加飾シートに対面して設けられた画像形成装置と、を備える表示装置。
【請求項１０】
請求項１乃至３のいずれか一項に記載の加飾シートと、
前記透過部の長手方向に平行な方向において、前記加飾シートの中心の法線方向からずれた位置に配置された光源と、を備える照明装置。
【請求項１１】
絵柄部と、前記絵柄部の非形成部であって長手方向を有する透過部と、を有する加飾層を備える加飾シートと、
前記透過部の長手方向において、前記加飾シートの中心の法線方向から平行な方向にずれた位置に配置された光源と、を備える、照明装置。
【請求項１２】
前記加飾シートは、前記加飾層に積層された光拡散層と、前記加飾層と前記光拡散層との間に配置された遮光部と、前記加飾層と前記遮光部との間に配置された遮蔽部と、をさらに備え、
前記光拡散層は、幅が前記加飾層から離間するにつれて太くなるよう変化している部分を有する、請求項１１に記載の照明装置。
【請求項１３】
前記加飾シートは、前記加飾層に積層された光制御層をさらに備え、
前記光制御層は、前記絵柄部と重なる位置に配置された第１部分と、前記第１部分と前記長手方向に交差する方向に交互に配置された可視光透過性を有する第２部分と、を有し、
前記第１部分と前記第２部分との界面が、反射面を形成し、
前記第１部分は、幅が前記加飾層から離間するにつれて細くなるよう変化している、請求項１１に記載の照明装置。
【請求項１４】
前記加飾シートは、平板状である、請求項１１乃至１３のいずれか一項に記載の照明装置。
【請求項１５】
請求項１乃至３のいずれか一項に記載の加飾シートを備える、窓。
【発明の詳細な説明】
【技術分野】
【０００１】
本発明は、加飾シート、及び、加飾シートを有する表示装置、照明装置、窓に関する。
【背景技術】
【０００２】
例えば特許文献１に開示されているように、表示物を表示する加飾層を設けた加飾シートをスクリーンとして用いることが公知となっている。加飾層は、表示物が形成されている加飾部分と、光透過性を有する透過部分と、を含んでいる。このスクリーンでは、加飾層の透過部分を透過した映像光が、観察者によってスクリーン上に観察され得る映像を形成する。一方、映像が表示されていない場合には、加飾部分に形成された表示物をスクリーン上に観察することができる。
【先行技術文献】
【特許文献】
【０００３】
【特許文献１】特開２００５−３７８１８号公報
【発明の概要】
【発明が解決しようとする課題】
【０００４】
しかしながら、特許文献１の加飾シートをスクリーンとして用いた場合、スクリーン上に表示される映像が暗くなってしまうこと、さらには十分に観察され得る映像を表示できないことすらあった。本件発明者らが、この不具合について鋭意検討を行ったところ、スクリーンに対する光源の位置やスクリーンの湾曲に応じて、映像光源から射出した映像光のうちの実際に映像の表示に利用され得る光の割合が変動することを知見し、そして、光源の位置やスクリーンの湾曲の向きと、加飾層における加飾部分及び透過部分の配列と、を適宜調整することで、映像光源から射出する映像光の利用効率を改善して映像を明るく表示し得ることを見出した。
【０００５】
加えて、このような表示装置におけるスクリーンに関連する問題は、照明装置や窓に適用される加飾シート（スクリーン、光制御パネル）においても同様に生じていた。さらには、透過型スクリーンが適用される表示装置だけでなく、画像形成装置と、画像形成装置の画像形成面上に設けられた加飾シートと、を含む表示装置においても、同様の問題が生じていた。そして、上述したスクリーンと同様の調整を行うことで、加飾シートでの問題を解消できることを見出した。すなわち、本発明は、このような本件発明者らの知見に基づくものであり、加飾層を有した加飾シートにおいて加飾シートを透過する光を明るく表示し得るようにすることを目的とする。
【課題を解決するための手段】
【０００６】
本発明の加飾シートは、
絵柄部と、前記絵柄部の非形成部である透過部と、を有する加飾層を備え、
前記透過部は、長手方向を有し、
前記透過部の長手方向と非平行な方向を軸として、少なくとも一部が曲面状に湾曲している。
【０００７】
本発明の加飾シートにおいて、
前記加飾層に積層された光拡散層と、
前記加飾層と前記光拡散層との間に配置された遮光部と、
前記加飾層と前記遮光部との間に配置された遮蔽部と、をさらに備え、
前記光拡散層は、幅が前記加飾層から離間するにつれて太くなるよう変化している部分を有してもよい。
【０００８】
本発明の加飾シートにおいて、
前記加飾層に積層された光制御層をさらに備え、
前記光制御層は、前記絵柄部と重なる位置に配置された第１部分と、前記第１部分と前記長手方向に交差する方向に交互に配置された可視光透過性を有する第２部分と、を有し、
前記第１部分と前記第２部分との界面が、反射面を形成し、
前記第１部分は、幅が前記加飾層から離間するにつれて細くなるよう変化してもよい。
【０００９】
本発明の第１の表示装置は、
上述したいずれかの加飾シートからなる透過型スクリーンと、
前記透過部の長手方向に平行な方向において、前記透過型スクリーンの中心の法線方向からにずれた位置に配置された映像光源と、を備える。
【００１０】
本発明の第２の表示装置は、
絵柄部と、前記絵柄部の非形成部であって長手方向を有する透過部と、を有する加飾層を備える加飾シートからなる透過型スクリーンと、
前記透過部の長手方向に平行な方向において、前記透過型スクリーンの中心の法線方向からずれた位置に配置された映像光源と、を備える。
【００１１】
本発明の第２の表示装置において、
前記透過型スクリーンは、前記加飾層に積層された光拡散層と、前記加飾層と前記光拡散層との間に配置された遮光部と、前記加飾層と前記遮光部との間に配置された遮蔽部と、をさらに備え、
前記光拡散層は、幅が前記加飾層から離間するにつれて太くなるよう変化している部分を有してもよい。
【００１２】
本発明の第２の表示装置において、
前記透過型スクリーンは、前記加飾層に積層された光制御層をさらに備え、
前記光制御層は、前記絵柄部と重なる位置に配置された第１部分と、前記第１部分と前記長手方向に交差する方向に交互に配置された可視光透過性を有する第２部分と、を有し、
前記第１部分と前記第２部分との界面が、反射面を形成し、
前記第１部分は、幅が前記加飾層から離間するにつれて細くなるよう変化してもよい。
【００１３】
本発明の第２の表示装置において、前記透過型スクリーンは、平板状であってもよい。
【００１４】
本発明の第３の表示装置は、
上述したいずれかの加飾シートと、
前記加飾シートに対面して設けられた画像形成装置と、を備える。
【００１５】
本発明の第１の照明装置は、
上述したいずれかの加飾シートと、
前記透過部の長手方向に平行な方向において、前記加飾シートの中心の法線方向からずれた位置に配置された光源と、を備える。
【００１６】
本発明の第２の照明装置は、
絵柄部と、前記絵柄部の非形成部であって長手方向を有する透過部と、を有する加飾層を備える加飾シートと、
前記透過部の長手方向において、前記加飾シートの中心の法線方向から平行な方向にずれた位置に配置された光源と、を備える。
【００１７】
本発明の第２の照明装置において、
前記加飾シートは、前記加飾層に積層された光拡散層と、前記加飾層と前記光拡散層との間に配置された遮光部と、前記加飾層と前記遮光部との間に配置された遮蔽部と、をさらに備え、
前記光拡散層は、幅が前記加飾層から離間するにつれて太くなるよう変化している部分を有してもよい。
【００１８】
本発明の第２の照明装置において、
前記加飾シートは、前記加飾層に積層された光制御層をさらに備え、
前記光制御層は、前記絵柄部と重なる位置に配置された第１部分と、前記第１部分と前記長手方向に交差する方向に交互に配置された可視光透過性を有する第２部分と、を有し、
前記第１部分と前記第２部分との界面が、反射面を形成し、
前記第１部分は、幅が前記加飾層から離間するにつれて細くなるよう変化していてもよい。
【００１９】
本発明の第２の照明装置において、前記加飾シートは、平板状であってもよい。
【００２０】
本発明の窓は、上述したいずれかの加飾シートを備える。
【発明の効果】
【００２１】
本発明によれば、加飾シートを透過した光を明るく表示することができる。
【図面の簡単な説明】
【００２２】
【図１】図１は、表示装置を概略的に示す図であり、観察者と表示装置（映像光源及び透過型スクリーン）との配置関係例を示す図である。
【図２】図２は、透過型スクリーンの一例を示す図であって、透過型スクリーンに含まれる各層を説明するための部分斜視図である。
【図３】図３は、透過型スクリーンの他の例を示す図であって、透過型スクリーンに含まれる各層を説明するための部分斜視図である。
【図４】図４は、透過型スクリーンの観察者側の面を示す正面図である。
【図５】図５は、図４のＡ−Ａ線における断面を示す図であって、第１の実施の形態の透過型スクリーンを映像光が透過する状態を示す図である。
【図６】図６は、図４のＡ−Ａ線における断面を示す図であって、第２の実施の形態の透過型スクリーンを映像光が透過する状態を示す図である。
【図７】図７は、図４のＡ−Ａ線における断面を示す図であって、第３の実施の形態の透過型スクリーンを映像光が透過する状態を示す図である。
【図８】図８は、図３に対応する図であって、第４の実施の形態の透過型スクリーンの観察者側の面を示す正面図である。
【図９】図９は、表示装置の一変形例を概略的に示す図である。
【図１０】図１０は、表示装置の他の変形例を示す図である。
【図１１】図１１は、表示装置の更に他の変形例を示す図である。
【図１２】図１２は、図４に対応する図であって、従来の透過型スクリーンの一例を示す正面図である。
【図１３】図１３は、図１２のＢ−Ｂ線における断面を示す図であって、図５に対応した、従来の透過型スクリーンを映像光が透過する状態を示す図である。
【図１４】図１４は、図１２のＢ−Ｂ線における断面を示す図であって、図６に対応した、従来の透過型スクリーンを映像光が透過する状態を示す図である。
【図１５】図１５は、図１２のＢ−Ｂ線における断面を示す図であって、図７に対応した、従来の透過型スクリーンを映像光が透過する状態を示す図である。
【発明を実施するための形態】
【００２３】
以下、図面を参照しながら本発明の第１〜第４の実施の形態について説明する。なお、本件明細書に添付する図面においては、図示と理解のしやすさの便宜上、適宜縮尺および縦横の寸法比等を、実物のそれらから変更し誇張してある。
【００２４】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００２５】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２６】
＜第１の実施の形態＞
まず、第１の実施の形態に係る表示装置１０及び透過型スクリーン２０について、説明する。図１は、第１の実施の形態の表示装置１０を概略的に示す図であり、観察者１に対する表示装置１０の位置関係を例示する図である。図１に示されるように、表示装置１０は、映像光源１５及び加飾シートを備える。以下に説明する実施の形態において、加飾シートは、透過型スクリーン２０として機能する。言い換えると、透過型スクリーン２０は、加飾シートからなっている。
【００２７】
図示された表示装置１０は、いわゆる背面投射型表示装置として構成されている。表示装置１０は、入光側から投射される映像光Ｌ１を出光側に透過させる透過型スクリーン２０（加飾シート）と、透過型スクリーン２０の入光側に配置された映像光源１５と、を備える。映像光源１５は、透過型スクリーン２０に映像光Ｌ１を投射するプロジェクタとして機能する。ここで、透過型スクリーン２０に関する「入光側」は、映像光源１５から射出した映像光が入射する側であり、透過型スクリーン２０に関する「出光側」は、映像光が出射する側である。また、図１に示すように、映像光源１５は、透過型スクリーン２０の中心の法線方向からずれた位置（図１では下方）に配置されている。
【００２８】
なお、ここで言う映像光Ｌ１の具体的な態様は特に限定されず、映像光Ｌ１は、具体的な種類や内容を問わず、光全般を含み得る。典型的には特定の情報を表す光によって映像光Ｌ１が構成され得るが、他の任意の態様を有する光（例えば不規則な図柄を表す光や何らの特定情報も表さない光等）によって映像光Ｌ１が構成されてもよい。例えば、映像光Ｌ１は、印刷が施された透明なフィルム等を透過させて映像を表示する光であってもよいし、遮光物によって明暗の映像を表示する光であってもよい。映像光Ｌ１が印刷が施された透明なフィルム等を透過させた光や遮光物によって明暗を表示する光である場合、印刷が施された透明なフィルムや遮光物が、映像光源１５に含まれるとしてもよい。なお、このような透明なフィルムや遮光物と光源とを有する映像光源１５は、画像形成装置とも呼ばれ得る。
【００２９】
本実施の形態の映像光源１５は、透過型スクリーン２０の入光面２１の全域に対し、照射領域が次第に広がっていく発散光束（拡大投影された光束）としての映像光Ｌ１を照射する。このような映像光源１５は特に限定されず、例えば陰極線管（ＣＲＴ：Ｃａｔｈｏｄｅ  Ｒａｙ  Ｔｕｂｅ）を用いた方式、液晶を用いた方式、或いはデジタルマイクロミラーデバイス（ＤＭＤ：Ｄｉｇｉｔａｌ  Ｍｉｃｒｏｍｉｒｒｏｒ  Ｄｅｖｉｃｅ）を用いた方式等の既知の光源を映像光源１５として使用できる。
【００３０】
透過型スクリーン２０は、入光側に位置する入光面２１及び出光側に位置する出光面２２を有し、映像光源１５から入光面２１に照射される映像光Ｌ１を透過して出光面２２から出光側（観察者１側）に出射させる。透過型スクリーン２０は光拡散機能を有しており、種々の方向に向けて映像を表示することができる。したがって、観察者１は、種々の方向から透過型スクリーン２０の出光面２２を観察することにより、映像光Ｌ１によって形成される映像を視認することができる。
【００３１】
図１に示す透過型スクリーン２０は、入光面２１が全体として凹となり、出光面２２が全体として凸となるような湾曲形状を持ち、曲面状のスクリーン面（出光面２２）を有する。図１の例では、入光面２１及び出光面２２のそれぞれが２．５次元曲面を成すように透過型スクリーン２０は曲面状に湾曲している。ここで、２．５次元曲面とは、１つの軸のみを中心として、或いは、互いに平行な複数の軸を中心として、部分的又は全体的に湾曲している曲面を意味する。図示された例では、略矩形状の透過型スクリーン２０が、水平方向と平行な軸を中心とした方向に湾曲している。なお、本実施の形態の透過型スクリーン２０は、後述のように複数の層が積層された多層構造を有するが、各層は同様の曲面をなすように湾曲している。
【００３２】
次に、図２を参照して透過型スクリーン２０の具体的な構成の一例について説明する。図２は、透過型スクリーン２０の一部を切り出した部分斜視図であり、透過型スクリーン２０の層構成の一例を示す。図２に示す例では、透過型スクリーン２０は、加飾層３０と、加飾層３０に積層された光拡散層２５と、加飾層３０と光拡散層２５との間に配置された遮光部２６と、を有する。さらに、透過型スクリーン２０は、加飾層３０と遮光部２６との間に配置された遮蔽部２７を有する。加飾層３０は、絵柄部３１と、絵柄部３１の非形成部である透過部３２と、を有する。なお、上述のように本実施の形態の透過型スクリーン２０の各層及び各部は湾曲しているが、理解を容易にするために、図２では透過型スクリーン２０の一部が平板状に示されている。
【００３３】
光拡散層２５は、基部２５ａと、基部２５ａから突出して主として第１方向ｄ１に延在する突出部２５ｂと、を含む。光拡散層２５は、基部２５ａ側から入光した光の進行方向を突出部２５ｂの配列方向に拡散させて出光する機能を有している。突出部２５ｂは、第１方向ｄ１に交差する方向、好ましくは第１方向ｄ１に直交する第２方向ｄ２に配列されている。基部２５ａ及び突出部２５ｂは、可視光透過性を有するが、その内部に光拡散性が付与されていてもよい。この内部光拡散性によれば、突出部２５ｂの配列方向だけでなく、種々の方向に光を拡散させることができる。基部２５ａの厚さは、例えば１μｍ以上３０００μｍ以下であり、突出部２５ｂの厚さは、例えば１μｍ以上１０００μｍ以下である。
【００３４】
基部２５ａは、突出部２５ｂを適切に支持することのできる部材である。基部２５ａは、可視光透過性を有する。基部２５ａとしては、種々の材料を使用することができ、突出部２５ｂと同一の材料からなってもよい。
【００３５】
図２に示された例では、突出部２５ｂは、長い方の底辺が基部２５ａに接する台形形状の断面を有する。すなわち、光拡散層２５は、の突出部２５ｂの第２方向ｄ２における幅が加飾層３０から離間するにつれて太くなるよう変化している。太くなるよう変化している突出部２５ｂの表面での屈折により、出光面２２から出光する光の強さのむらを緩和することができる。突出部２５ｂは、光拡散機能を奏することができる。しかしながら、このような形状に限らず、突出部２５ｂは光拡散機能を奏する任意の断面形状をとることができる。例えば、突出部２５ｂは、半円状の断面形状を有していてもよい。
【００３６】
なお、突出部２５ｂの「幅が加飾層から離間するにつれて太くなるよう変化している」とは、突出部２５ｂの幅が、加飾層からの距離に応じて連続的に変化し続けることのみを意味している訳ではなく、加飾層から離間するにともなって幅が広くなる部分を含み且つ加飾層から離間するにともなって幅が細くなる部分を含まないことを意味している。ただし、透過型スクリーン２０の法線方向に沿った少なくとも一部の領域において、加飾層の幅が連続的に増加することが好ましい。
【００３７】
遮光部２６は、光拡散層２５の突出部２５ｂ上に設けられている。遮光部２６は、光拡散層２５を透過した映像光が加飾層３０の絵柄部３１に入光しないよう、光を吸収する機能を有している。遮光部２６は、例えば光吸収粒子をバインダー樹脂中に含んだ部分であり得る。光吸収粒子としては、カーボンブラックやチタンブラック等の黒色顔料を例示することができる。
【００３８】
遮光部２６によって映像光の絵柄部３１への入光が防止され、絵柄部３１によって表される意匠と映像光とが混合して観察されることを抑制することができる。
【００３９】
遮蔽部２７は、遮光部２６上に設けられている。遮蔽部２７は、絵柄部３１の意匠性が遮光部２６によって害されることを避けるために設けられている。したがって、遮蔽部２７は、観察者１が観察する際に絵柄部３１との混色により絵柄部３１の意匠性を害さない色を有しており、例えば混色を避けやすい白色であることが好ましい。
【００４０】
また、遮蔽部２７は、光反射成分を含んでもよい。遮蔽部２７が光反射成分を含むことで、加飾層３０の絵柄部３１を透過した光が遮蔽部２７で反射されて再度絵柄部３１を透過して出光するため、絵柄部３１による意匠がより鮮明に観察され得る。遮蔽部２７に含まれる光反射成分としては、粒状の銀色顔料や、燐片状の金属を例示できる。
【００４１】
加飾層３０は、透過型スクリーン２０を加飾して意匠性を付与するための層である。加飾層３０は、遮蔽部２７に重なる位置に配置された絵柄部３１を有する。加飾層３０は、分散して配置された複数の絵柄部３１の組み合わせにより、図形、パターン、デザイン、色彩、絵、写真、キャラクター、マーク、文字や数字などの情報を、絵柄として、表示することができる。
【００４２】
絵柄部３１の厚さは、例えば１μｍ以上１０μｍ以下である。なお、図２において、絵柄部３１の断面形状は、台形形状となっているが、これに限らず、矩形等であってもよい。また、図２に示すように、絵柄部３１は、主として第１方向ｄ１に延在する。
【００４３】
図４は、透過型スクリーン２０を観察者側から見た正面図である。加飾層３０のうちの絵柄部３１が形成されていない領域は、映像光を透過させることができる透過部３２となっている。図４に示すように、透過部３２は、絵柄部３１と同様に、主として第１方向ｄ１に延びている。すなわち、透過部３２は、第１方向ｄ１を長手方向としている。図４に示す例では、透過部３２は、透過型スクリーン２０の平面視において矩形形状である。しかしながら、図示した例に限られず、透過部３２は長手方向を有する楕円形状等であってもよい。透過部３２は、映像光が透過することができ、かつ、映像を表示しない場合に絵柄部３１の意匠を観察することができる寸法及び占有率であればよく、例えば、各透過部３２の長手方向である第１方向ｄ１に沿った長さが２０μｍ以上で透過型スクリーン２０の長さ以下、第１方向ｄ１に直交する第２方向ｄ２に沿った長さが１０μｍ以上３００μｍ以下である。また、「長手方向を有する」とは、第１方向ｄ１に沿った長さの、第２方向ｄ２に沿った長さに対する比の値が、２倍以上であることをいう。なお、透過部３２の長手方向である第１方向ｄ１に沿った長さの、第２方向ｄ２に沿った長さに対する比の値は、５倍以上であることがより好ましく、１０倍以上であることが更に好ましい。
【００４４】
なお、透過部３２は、例えば透明な樹脂によって形成され、光拡散層２５等を覆うようにしてもよい。また、透明な樹脂の透過部３２が、光拡散層２５を覆うとともに、さらに絵柄部３１も覆うようにしてもよい。このような透過部３２は、光拡散層２５および絵柄部３１を保護するための透明な保護膜として機能することができる。
【００４５】
図２に示す例では、光拡散層２５の突出部２５ｂ上に、遮光部２６、遮蔽部２７及び絵柄部３１が配置されている。したがって、遮光部２６、遮蔽部２７及び絵柄部３１は、突出部２５ｂと同様に、第１方向ｄ１に延在し、第１方向ｄ１に交差する方向に配列されている。
【００４６】
次に、図３を参照して透過型スクリーン２０の具体的な構成の他の例について説明する。図３は、透過型スクリーン２０の一部を切り出した部分斜視図であり、透過型スクリーン２０の層構成の他の例を示す。図３に示す例では、透過型スクリーン２０は、加飾層３０と、加飾層３０に積層された光制御層４０と、を有する。加飾層３０は、図２に示す例と同様の絵柄部３１と透過部３２とを有するため、ここでは説明を省略する。なお、図３においても、理解を容易にするために、透過型スクリーン２０の一部が平板状に示されている。
【００４７】
光制御層４０は、絵柄部３１と重なる位置に配置された第１部分４１と、第１部分４１と交互に配置された第２部分４５と、第２部分４５を支持する基部４６と、を有する。光制御層４０は、入光した光の進行方向を変化させて映像光の透過型スクリーン２０からの出射方向を調整する。光制御層４０の厚さは、例えば１２０μｍ以上１７０μｍ以下である。光制御層４０における第１部分４１と第２部分４５との間の界面４７は、反射面を形成する。反射面での反射により、界面４７に入射した光の進行方向を変化させることで、種々の方向から映像を観察することができる。また、好ましくは、界面４７が形成する反射面は、拡散反射面である。界面４７に入射した光を拡散反射させることで、出光面２２から出光する光の強さのむらを緩和することができる。
【００４８】
なお、第１部分４１および第２部分４５を異なる屈折率の材料で形成することにより、第１部分４１および第２部分４５の界面４７を反射面とすることができる。また、第１部分４１および第２部分４５の界面４７を微細な凹凸面とすることで、第１部分４１および第２部分４５の界面４７を拡散反射面とすることができる。
【００４９】
図３に示す例において、第１部分４１及び第２部分４５は、第１方向ｄ１に線状に延び且つ第１方向ｄ１と交差する第２方向ｄ２に配列されている。
【００５０】
第１部分４１及び第２部分４５の断面形状は、要求される機能に応じて種々の形状を採用することができる。この例においては、第１部分４１は、幅が加飾層３０から離間するにつれて細くなるよう変化している。ただし、光制御層４０の法線方向に沿った少なくとも一部の領域において、第１部分４１の幅が連続的に減少することが好ましい。図３に示された例においては、第１部分４１の断面形状は、底辺が加飾層３０側となっている三角形となっており、第２部分４５の断面形状は、一方の底辺が他方の底辺に比べて十分に小さい台形形状となっている。
【００５１】
また、図３に示すように、第１部分４１は、映像光源１５側に設けられた遮光部４１ａと、観察者１側、すなわち加飾層３０が積層された側に設けられた遮蔽部４１ｂと、を有していてもよい。遮光部４１ａは、図２の例の遮光部２６と同様に、映像光が加飾層３０の絵柄部３１に入光しないよう、光を吸収する機能を有しており、例えばバインダー樹脂中に光吸収粒子を含んだ部分であり得る。遮光部４１ａによって映像光の絵柄部３１への入光が防止されることで、絵柄部３１によって表される意匠と映像光とが混合して観察されることを抑制することができる。遮蔽部４１ｂは、図２の例の遮蔽部２７と同様に、絵柄部３１の意匠性が遮光部４１ａによって害されることを避けるために設けられており、白色等の混色により絵柄部３１の意匠性を害さない色を有している。また、遮蔽部４１ｂは、粒状の銀色顔料や、燐片状の金属等の光反射成分を含んで、絵柄部３１による意匠がより鮮明に観察され得るようにしてもよい。
【００５２】
第１部分４１および第２部分４５の材料は、特に限定されないが、紫外線硬化型のバインダー樹脂であることが望ましい。第１部分４１および第２部分４５の屈折率は、材料の脆弱性や入手容易性、第１部分４１と第２部分４５との界面４７で光を反射させることを考慮すると、第１部分４１の屈折率は１．４７以上１．５０以下、第２部分４５の屈折率は１．５５以上１．６１以下、第１部分４１と第２部分４５との屈折率差は０．０５以上０．１４以下であることが好ましい。第１部分４１の屈折率は、１．４９であることがより好ましく、第２部分４５の屈折率は、１．５６であることがより好ましい。第１部分４１と第２部分４５との屈折率差を大きくすることにより、より多くの光を第１部分４１と第２部分４５との界面４７で反射させることができる。なお、第１部分４１が光吸収性を有している場合、第１部分４１と第２部分４５との界面４７で反射せずに第１部分４１に入射した光のほとんどは、第１部分４１に吸収されるようにすることができる。
【００５３】
第２部分４５は、可視光透過性を有する。第２部分４５の材料は、特に限定されないが、紫外線硬化型のバインダー樹脂であることが望ましい。第２部分４５は、第１部分４１と、第１方向ｄ１に交差する方向、好ましくは第１方向ｄ１に直交する第２方向ｄ２に交互に配置されている。
【００５４】
基部４６は、第１部分４１及び第２部分４５を適切に支持することのできる部材である。基部４６は、可視光透過性を有する。基部４６をなす材料としては、種々の材料を使用することができるが、基部４６と第２部分４５との間に反射界面が形成されることを避けるために、基部４６の屈折率と第２部分４５の屈折率とが、同一であることが好ましい。典型的には、基部４６は、第２部分４５と同一の材料からなる。
【００５５】
なお、図２及び図３に示す透過型スクリーン２０の湾曲している軸の方向は、透過部３２の長手方向である第１方向ｄ１に非平行な方向、好ましくは第１方向ｄ１に４５°を超える角度で傾斜した方向、さらに好ましくは第１方向ｄ１と直交する第２方向ｄ２に平行な方向である。
【００５６】
さらに、映像光源１５の配置された位置は、透過型スクリーン２０の中心の法線方向から透過部３２の長手方向に平行な方向、すなわち第１方向ｄ１に平行な方向にずれた位置である。
【００５７】
図２に示す透過型スクリーン２０は、押出成型等によって基部２５ａと突出部２５ｂを含む光拡散層２５を形成し、突出部２５ｂ上に、遮光部２６、遮蔽部２７、絵柄部３１を順に配置させることで製造される。各層は、例えば、印刷や転写等によって突出部２５ｂの頂面上に形成されうる。
【００５８】
また、図３に示す透過型スクリーン２０の製造方法は、まず、押出成型等によって基部４６と第２部分４５を含む部材を形成し、第２部分４５間の隙間部分に第１部分４１を構成する組成物、例えば顔料を含んだ樹脂を充填する。その後、隙間部分からはみ出した組成物の余剰分をスキージ等によって掻き取り、残った組成物を硬化させる。最後に絵柄部３１を第１部分４１に重なる位置に印刷や転写等によって設ける。以上の工程により、図３に示す透過型スクリーン２０が製造される。
【００５９】
ところで、図１２に示すような従来の透過型スクリーン１２０を用いた場合、透過型スクリーン１２０上に表示される映像が暗くなってしまうこと、さらには十分に観察され得る明るさで映像を表示できないといった不具合が生じることがあった。また、映像が暗い部分は、スクリーン上の一部分において生じることもあり、この場合、透過型スクリーン２０上での映像の明るさが不均一となった。この問題について検討を重ねたところ、透過型スクリーン１２０に対する映像光源の相対位置や、透過型スクリーン１２０の湾曲が、不具合の発生に影響を及ぼすことが確認された。本件発明者らが更に検討を進めた結果、このような不具合を解決するための手段を知見するに至った。具体的には、透過部３２が長手方向を有し、映像光源１５が透過部３２の長手方向な方向にずれていること、および／または、透過型スクリーン２０が透過部３２の長手方向と非平行な方向を軸として湾曲していることで、透過型スクリーン２０上に映像が暗く表示されることを効果的に回避し得ることを知見した。以下、このような工夫が成された第１の実施の形態の透過型スクリーン２０及び表示装置１０に関する、映像光源１５が映像光を射出している場合における作用について、従来の透過型スクリーン１２０及び表示装置１１０と比較しながら、説明する。
【００６０】
図５は、図４のＡ−Ａ線に沿った透過型スクリーン２０の断面の一部および映像光源１５からの映像光Ｌ５を示す。図４のＡ−Ａ線は、透過部３２の長手方向と平行な方向、すなわち第１方向ｄ１に平行な方向である。なお、図５並びに後述する図６及び図７においては、図示の簡略化のため、図２の透過型スクリーン２０の光拡散層２５の突出部２５ｂ、遮光部２６及び遮蔽部２７、図３の透過型スクリーン２０の光制御層４０の第１部分４１及び第２部分４５等は省略されている。
【００６１】
上述したように、映像光源１５は、透過型スクリーン２０の中心の法線方向ｎｄから透過部３２の長手方向である第１方向ｄ１に平行な方向にずれた位置にある。また、透過部３２の長手方向である第１方向ｄ１に直交する方向を軸として、透過型スクリーン２０は湾曲している。したがって、映像光Ｌ５は、透過型スクリーン２０の各位置に、当該位置での法線方向ｎｄに対して傾斜した方向から、入光する。透過型スクリーン２０の透過部３２に入光した光は、出光面２２から出光する。一方、透過型スクリーン２０の絵柄部３１が設けられている部分に入光した光は、絵柄部３１に妨げられるため、あるいは絵柄部３１に重なる位置に配置された遮光部２６、４１ａによって吸収されるため、出光面２２から出光しない。そして、透過型スクリーン２０の各位置での法線方向ｎｄに対して傾斜した方向から当該位置に入射する光は、透過型スクリーン２０の当該位置を斜めに抜けることになるので、透過部３２から絵柄部３１に入射することもある。すなわち、透過型スクリーン２０の各位置に当該位置での法線方向ｎｄに対して傾斜した方向から入射する光は、絵柄部３１を横切りやすくなり、したがって、映像光の利用効率が低下して映像を明るく表示することができなくなる。そして、映像光の入射角度が大きくなる領域において、映像は暗くなる傾向にあり、したがって、映像光の入射角度が透過型スクリーン２０上の各位置で大きく変動する場合には、透過型スクリーン２０の各位置に表示される映像の明るさも不均一となることを意味している。
【００６２】
上述してきたように、第１の実施の形態では、透過部３２が長手方向を有し、映像光源１５が透過部３２の長手方向に平行な方向にずれている。図５に示された例では、各透過部３２の長手方向である第１方向ｄ１に平行な方向において、映像光源１５は、当該透過部３２からずれて配置されている。また、透過型スクリーン２０が透過部３２の長手方向と非平行な方向を軸として湾曲している。図５に示された例では、各透過部３２の長手方向である第１方向ｄ１と非平行な方向を軸としてスクリーンが湾曲している。したがって、図５に示すように、透過部３２は、映像光のスクリーンへの入射光がスクリーン上の法線方向ｎｄに対して大きく傾斜する第１方向ｄ１に、延びている。この結果、図５に示すように、第１方向ｄ１に傾斜してスクリーンの各位置に斜めに入射する映像光Ｌ５は、絵柄部３１に入射することなく透過部３２だけを進んでスクリーンを透過しやすくなる。これにより、絵柄部３１に入射して映像の形成に使用され得ない光の割合を低減することができ、映像を明るく表示すること、また、映像の明るさのむらを緩和することが可能となる。
【００６３】
一方、図１２は、例えば特許文献１に示されているような、従来の透過型スクリーン１２０を示す。図１３は、図１２のＢ−Ｂ線に沿った透過型スクリーン１２０の断面の一部および映像光源１１５からの映像光Ｌ１１を示す。図１２のＢ−Ｂ線は、第１方向ｄ１と平行な方向である。また、第１の実施の形態の表示装置と同じく、映像光源１１５は、透過型スクリーン２０の中心の法線方向から第１方向ｄ１に平行な方向にずれた位置にある。したがって、図５の透過型スクリーン２０と同様に、映像光Ｌ１１は、透過型スクリーン２０の各位置に当該位置での法線方向に対して傾斜した方向から入光する。
【００６４】
図１２に示すように、従来の透過型スクリーン１２０の加飾層１３０において、透過部１３２は長手方向を有さない。図示された例では、透過部１３２は円形となっている。このような透過型スクリーン１２０では、図１３に示すように、映像光源１１５からの射出方向に含まれる多くの角度範囲に進む映像光が、絵柄部１３１に入射するようになる。すなわち、映像光が斜めから入射することに起因した映像光の利用効率の低下を非常に受けやすくなる。結果として、映像光源の出力を上げない限りスクリーンに明るく映像を表示することが不可能となり、また、透過型スクリーン１２０に表示される映像に明るさのむらが目立つようになる。
【００６５】
以上のように、第１の実施の形態に係る透過型スクリーン２０は、絵柄部３１と、絵柄部３１の非形成部である透過部３２と、を有する加飾層３０を備え、透過部３２は、長手方向を有し、透過部３２の長手方向と非平行な方向を軸として、少なくとも一部が曲面状に湾曲している。そして、表示装置１０は、この透過型スクリーン２０と、透過部３２の長手方向に平行な方向において、透過型スクリーン２０の中心の法線方向からずれた位置に配置された映像光源１５と、を備える。このような表示装置１０及び透過型スクリーン２０によれば、従来の表示装置１１０及び透過型スクリーン１２０との比較から理解されるように、透過部３２が長手方向を有することで、透過型スクリーン２０の湾曲及び映像光源１５の配置位置によって、第１方向ｄ１に傾斜してスクリーンの各位置に斜めに入射する映像光は、絵柄部３１に入射することなく透過部３２だけを進んでスクリーンを透過しやすくなる。したがって、絵柄部３１に入射して映像の形成に使用され得ない光の割合を低減することができる。この結果、スクリーンに映像を明るく表示し、また、映像の明るさのむらを緩和することができる。
【００６６】
なお、映像光源１５が映像光を出光していない場合、観察者１には透過型スクリーン２０の出光面側に設けられた加飾層３０の絵柄部３１によって表示される絵柄が観察される。透過部３２は絵柄部３１の意匠を認識できるよう、第２方向ｄ２の寸法が十分に小さいため、透過部３２によって透過型スクリーン２０の意匠性は害されない。
【００６７】
＜第２の実施の形態＞
次に、第２の実施の形態に係る表示装置１０及び透過型スクリーン２０について、説明する。第２の実施の形態の表示装置１０及び透過型スクリーン２０は、透過型スクリーン２０を湾曲させずに平板状としたことにおいて第１の実施の形態と異なるが、他の構成は上述した第１の実施の形態の表示装置１０及び透過型スクリーン２０と同一である。上述の第１の実施の形態と同一又は類似の要素には同一の符合を付し、その詳細な説明は省略する。
【００６８】
図６は、透過部３２の長手方向と平行な方向、すなわち第１方向ｄ１に平行な方向である図４のＡ−Ａ線に沿った透過型スクリーン２０の断面の一部および映像光源１５からの映像光Ｌ６を示す。図６によく示されているように、第２の実施の形態の透過型スクリーン２０は、平板状に形成されている。第１の実施の形態の表示装置１０と同様に、映像光源１５は、透過型スクリーン２０の中心の法線方向から透過部３２の長手方向である第１方向ｄ１に平行な方向にずれた位置にある。したがって、映像光Ｌ６は、透過型スクリーン２０の各位置での法線方向に対して傾斜して入光する。透過型スクリーン２０の透過部３２に入光した光は出光面２２から出光できるが、絵柄部３１が設けられている部分に入光した光は、絵柄部３１に妨げられるため、あるいは絵柄部３１に重なる位置に配置された遮光部２６、４１ａによって吸収されるため、出光面２２から出光できない。また、透過型スクリーン２０を斜めに抜けることになるので、透過部３２から絵柄部３１に入射する光も存在する。このような光は、透過型スクリーン２０から出光しないため、映像光の利用効率が低下して映像を明るく表示することができなくなる。そして、映像光の入射角度が大きくなる領域において、映像は暗くなる傾向にあり、したがって、映像光の入射角度がスクリーン上の各位置で大きく変動する場合には、スクリーンの各位置に表示される映像の明るさも不均一となる。
【００６９】
図６に示す第２の実施の形態の透過型スクリーン２０では、第１の実施の形態と同じく、透過部３２が第１方向ｄ１を長手方向とし、映像光源１５が透過部３２の長手方向に平行な方向にずれている。したがって、図６に示すように、第１方向ｄ１に傾斜してスクリーンの各位置に斜めに入射する映像光Ｌ６は、絵柄部３１に入射することなく透過部３２だけを進んでスクリーンを透過しやすくなる。これにより、絵柄部３１に入射して映像の形成に使用され得ない光の割合を低減することができ、映像を明るく表示すること、また、映像の明るさのむらを緩和することが可能となる。
【００７０】
一方、図１４は、図１２のＢ−Ｂ線に沿った従来の透過型スクリーン１２０の断面の一部および映像光源１１５からの映像光Ｌ１２を示す。映像光源１１５は、透過型スクリーン２０の中心の法線方向から第１方向ｄ１に平行な方向にずれた位置にある。したがって、図４の透過型スクリーン２０と同様に、映像光Ｌ１２は、透過型スクリーン２０の各位置に当該位置での法線方向に対して傾斜した方向から入光する。
【００７１】
従来の透過型スクリーン１２０の加飾層１３０では、透過部１３２は長手方向を有さないため、透過型スクリーン１２０では、図１４に示すように、映像光源１１５からの射出方向に含まれる多くの角度範囲に進む映像光が、絵柄部１３１に入射するようになる。すなわち、映像光が斜めから入射することに起因した映像光の利用効率の低下を非常に受けやすくなる。結果として、映像光源１１５の出力を上げない限りスクリーンに明るく映像を表示することが不可能となり、また、スクリーンに表示される映像に明るさのむらが目立つようになる。
【００７２】
以上のように、第２の実施の形態に係る表示装置１０は、絵柄部３１と、絵柄部３１の非形成部であって長手方向を有する透過部３２と、を有する加飾層３０を備える透過型スクリーン２０と、透過部３２の長手方向において、透過型スクリーン２０の中心の法線方向から平行な方向にずれた位置に配置された映像光源１５と、を備える。このような表示装置１０によれば、従来の表示装置１１０との比較から理解されるように、透過部３２が長手方向を有することで、映像光源１５の配置位置によって、第１方向ｄ１に傾斜してスクリーンの各位置に斜めに入射する映像光は、絵柄部３１に入射することなく透過部３２だけを進んでスクリーンを透過しやすくなる。したがって、絵柄部３１に入射して映像の形成に使用され得ない光の割合を低減することができる。この結果、スクリーンに映像を明るく表示し、また、映像の明るさのむらを緩和することができる。
【００７３】
＜第３の実施の形態＞
次に、第３の実施の形態に係る表示装置１０及び透過型スクリーン２０について、説明する。第３の実施の形態の表示装置１０は、映像光源１５を透過型スクリーン２０の中心の法線方向に沿った位置に配置したことにおいて第１の実施の形態の表示装置１０と異なるが、他の構成は上述した第１の実施の形態と同一である。上述の第１の実施の形態と同一又は類似の要素には同一の符合を付し、その詳細な説明は省略する。
【００７４】
図７は、透過部３２の長手方向と平行な方向、すなわち第１方向ｄ１に平行な方向である図４のＡ−Ａ線に沿った透過型スクリーン２０の断面の一部および映像光源１５からの映像光Ｌ７を示す。図７によく示されているように、第３の実施の形態の表示装置１０における映像光源１５は、透過型スクリーン２０の中心の法線方向ｎｄに沿った位置に配置されている。第１の実施の形態の透過型スクリーン２０と同様に、透過部３２の長手方向である第１方向ｄ１に直交する方向を軸として、透過型スクリーン２０は湾曲している。したがって、映像光Ｌ７は、透過型スクリーン２０の各位置での法線方向に対して傾斜して入光する。透過型スクリーン２０の透過部３２に入光した光は出光面２２から出光できるが、絵柄部３１が設けられている部分に入光した光は、絵柄部３１に妨げられるため、あるいは絵柄部３１に重なる位置に配置された遮光部２６、４１ａによって吸収されるため、出光面２２から出光できない。また、透過型スクリーン２０の中心を除き、透過型スクリーン２０を斜めに抜けることになるので、透過部３２から絵柄部３１に入射する光も存在する。このような光は、透過型スクリーン２０から出光しないため、映像光の利用効率が低下して映像を明るく表示することができなくなる。そして、映像光の入射角度が大きくなる領域において、映像は暗くなる傾向にあり、したがって、映像光の入射角度がスクリーン上の各位置で大きく変動する場合には、スクリーンの各位置に表示される映像の明るさも不均一となる。
【００７５】
図７に示す第３の実施の形態の透過型スクリーン２０は、第１の実施の形態と同じく、透過部３２が第１方向ｄ１を長手方向とし、透過部３２の長手方向に直交する方向を軸として湾曲している。したがって、図７に示すように、スクリーンの各位置に斜めに入射する映像光Ｌ７は、絵柄部３１に入射することなく透過部３２だけを進んでスクリーンを透過しやすくなる。これにより、絵柄部３１に入射して映像の形成に使用され得ない光の割合を低減することができ、映像を明るく表示すること、また、映像の明るさのむらを緩和することが可能となる。
【００７６】
一方、図１５は、図１２のＢ−Ｂ線に沿った従来の透過型スクリーン１２０の断面の一部および映像光源１１５からの映像光Ｌ１３を示す。透過型スクリーン１２０は、第１方向ｄ１に直交する方向を軸として湾曲している。したがって、図７の透過型スクリーン２０と同様に、映像光Ｌ１３は、透過型スクリーン１２０の各位置の法線方向に対して傾斜して入光する。
【００７７】
従来の透過型スクリーン１２０の加飾層１３０では、透過部１３２は、長手方向を有さないため、透過型スクリーン１２０では、図１４に示すように、映像光源１１５からの射出方向に含まれる多くの角度範囲に進む映像光が、絵柄部１３１に入射するようになる。すなわち、映像光が斜めから入射することに起因した映像光の利用効率の低下を非常に受けやすくなる。結果として、映像光源１１５の出力を上げない限りスクリーンに明るく映像を表示することが不可能となり、また、スクリーンに表示される映像に明るさのむらが目立つようになる。
【００７８】
以上のように、第３の実施の形態に係る透過型スクリーン２０は、絵柄部３１と、絵柄部３１の非形成部である透過部３２と、を有する加飾層３０を備え、透過部３２は、長手方向を有し、透過部３２の長手方向と非平行な方向を軸として、少なくとも一部が曲面状に湾曲している。このような透過型スクリーン２０よれば、従来の透過型スクリーン１２０との比較から理解されるように、透過部３２が長手方向を有することで、透過型スクリーン２０の湾曲によって、第１方向ｄ１に傾斜してスクリーンの各位置に斜めに入射する映像光は、絵柄部３１に入射することなく透過部３２だけを進んでスクリーンを透過しやすくなる。したがって、絵柄部３１に入射して映像の形成に使用され得ない光の割合を低減することができる。この結果、スクリーンに映像を明るく表示し、また、映像の明るさのむらを緩和することができる。
【００７９】
＜第４の実施の形態＞
次に、第４の実施の形態に係る表示装置１０及び透過型スクリーン２０について、説明する。第４の実施の形態の表示装置１０は、第３の実施の形態と同様に、映像光源１５を透過型スクリーン２０の中心の法線方向に沿った位置に配置している。また、透過型スクリーン２０は、三次元曲面をなすよう湾曲している。さらに、第４の実施の形態の透過型スクリーン２０では、各透過部３２の長手方向は、透過型スクリーン２０の中心を通る方向となっている。上述の第１の実施の形態と同一又は類似の要素には同一の符合を付し、その詳細な説明は省略する。
【００８０】
ここで、三次元曲面を成す曲面状に湾曲しているとは、互いに対して傾斜した複数の軸をそれぞれ中心として、部分的又は全体的に曲がっていることを意味する。第４の実施の形態では、略矩形状の透過型スクリーン２０が、概ね、水平方向と平行、且つ、透過型スクリーン２０の中央位置における透過型スクリーン２０の接平面に平行で、透過型スクリーン２０の出光側に位置する第１の軸を中心とした第１方向ｄ１に湾曲するとともに、鉛直方向と平行で、透過型スクリーン２０の出光側に位置する第２の軸を中心とした第２方向ｄ２に湾曲している。
【００８１】
図８に示すように、第４の実施の形態に係る透過型スクリーン２０において、透過部３２は、長手方向を有し、各透過部３２の長手方向は、透過型スクリーン２０の中心を通る方向となっている。したがって、各透過部３２の長手方向は、透過型スクリーン２０上の位置によって異なる。図８では、透過部３２は、長手方向を有する形状の一例として楕円形状であるが、これに限らず、長手方向を有する任意の形状であり得る。
【００８２】
第４の実施の形態において、映像光源１５は、透過型スクリーン２０に対して当該位置における透過型スクリーン２０の中心の法線方向に対面する位置に配置されている。したがって、各透過部３２の長手方向に沿った表示装置１０の断面図は、図６に示す第３の実施の形態の表示装置１０と同一となる。つまり、各透過部３２の長手方向に沿った方向において、第３の実施の形態と同じく、透過部３２が長手方向を有することで、透過型スクリーン２０の湾曲によって、第１方向ｄ１に傾斜してスクリーンの各位置に斜めに入射する映像光は、絵柄部３１に入射することなく透過部３２だけを進んでスクリーンを透過しやすくなる。したがって、絵柄部３１に入射して映像の形成に使用され得ない光の割合を低減することができる。透過型スクリーン２０全体において、各透過部３２の長手方向が中心を通る方向であることで、スクリーンに映像を明るく表示し、また、映像の明るさのむらを緩和することができる。
【００８３】
上述した各実施の形態では、加飾シートが透過型スクリーンとして用いられる例について説明した。すなわち、加飾シートが透過型スクリーンをなす例について説明した。また、透過型スクリーンと、透過型スクリーンに映像光を投射する映像光源と、を有する表示装置について説明した。しかしながら、表示装置は、透過型スクリーンを有するものに限定されない。すなわち、加飾シートは、投射型表示装置に用いられるスクリーンへの適用に限られない。例えば、映像光を発光する光源として、映像光をスクリーン上に結像させることなく視認させることが可能な画像形成装置が用いられてもよい。すなわち、図１０に示すように、表示装置１０は、加飾シート２０と、画像形成装置１６と、を有していてもよい。このような画像形成装置１６は、加飾シート２０に対面して設けられる。図１０に示された例において、加飾シート２０は、画像形成装置１６の画像形成面１６ａ上に配置されている。また、画像形成装置としては、液晶ディスプレイ（ＬＣＤ）、陰極線管表示装置（ＣＲＴ）、プラズマディスプレイ（ＰＤＰ）、エレクトロルミネッセンスディスプレイ（ＥＬＤ）、フィールドエミッションディスプレイ（ＦＥＤ）等を例示することができる。
【００８４】
あるいは、図１１に示すように、画像形成装置１７としては、表示画像に対応した透過部を有したシート材１７ａと光源１７ｂとの組み合わせであってもよい。シート材１７ａは、遮光性を有した基材１７ｘと、基材１７ｘに設けられた透過領域（透過部）１７ｙと、を有している。透過領域１７ｙは、例えば、基材１７ｘに形成された貫通孔や、この貫通孔に設けられ特定波長域の光を透過させるフィルム材等によって構成され得る。また、図１１に示された例において、光源１７ｂの発光色が変化し、表示物を複数の色で表示し得るようにしてもよい。
【００８５】
図１０及び図１１に示された例においても、加飾シート２０が、透過部３２の長手方向と非平行な方向を軸として、少なくとも一部が曲面状に湾曲している場合、映像の明るさのむらを効果的に目立たなくすることができる。なお、図１０及び図１１に示された例において、画像形成装置１６，１７の加飾シート２０に対面する面が平坦に形成されている例を示したが、加飾シート２０に沿って湾曲していてもよい。また、画像形成装置１６，１７が加飾シート２０に沿って湾曲していてもよい。
【００８６】
上述した各実施の形態の加飾シートは、種々の用途に用いることができ、とりわけ、加飾層による意匠性が求められる用途に好適に用いられる。用途としては、表示装置の他、照明装置や、窓を例示できる。
【００８７】
表示装置の具体例としては、自動車の内装のディスプレイ表示器、建築物の壁、扉、仕切り等に埋め込まれた案内板、広告、看板等のディスプレイ表示器、住宅のキッチン、浴室、寝室、ドアホン等に用いられるディスプレイ表示器や、机、いす、棚、間仕切り、タンス、下駄箱、ベッド等の家具や、掃除機、冷蔵庫、炊飯器、電子レンジ、洗濯機、テレビ等の家電に埋め込まれたディスプレイ表示器等を挙げることができる。なお、ディスプレイ表示器における表示の内容としては、避難経路、火災報知器、警告灯等の、何らかの警告表示であってもよい。
【００８８】
照明装置の具体例としては、自動車の内装の警告ランプ、ルームランプ、フットランプ、イルミネーションランプ、自動車の外装の車幅灯、ヘッドライト、テールランプ、ウインカー等のランプや、照明器具等を挙げることができる。
【００８９】
窓の具体例としては、住宅や商業施設の窓やショーウインドウ等を挙げることができる。なお、加飾シートを窓に用いる場合、光源は太陽光等の外光である。したがって、上述の第１の実施の形態および第２の実施の形態のように、光は、スクリーンの各位置に斜めに入射することになる。
【００９０】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００９１】
図１等には映像光が映像光源１５から透過型スクリーン２０（入光面２１）に対して直接的に照射される例が示されているが、これに限定されない。映像光源１５が透過型スクリーン２０の中心の法線方向からずれた位置にある第１及び第２の実施の形態において、表示装置１０は、上述の映像光源１５及び透過型スクリーン２０に加えてミラー部１８を更に備え、ミラー部１８は、映像光源１５からの映像光Ｌ１を反射して透過型スクリーン２０に投射してもよい。図９は、表示装置１０のこのような変形例を概略的に示す図である。
【００９２】
図９に示すように映像光源１５から出射された映像光は、ミラー部１８、プリズム部或いはレンズ等の光学素子を介して透過型スクリーン２０に照射されてもよい。映像光源１５と透過型スクリーン２０との間に、例えばミラー部１８やプリズム部等を介在させることで映像光Ｌ９の光路を調整することができ、またレンズ等を介在させることで映像が拡大又は縮小された映像光Ｌ９を透過型スクリーン２０に照射することができる。また、これらの複数種類の光学素子を映像光源１５と透過型スクリーン２０との間に配置し、映像の拡大又は縮小が行われて光路が変更された後の映像光が透過型スクリーン２０（入光面２１）に照射されてもよい。
【００９３】
なお、図９では、１つのミラー部１８で映像光を反射して透過型スクリーン２０に投射する例を示しているが、２以上のミラー部で複数回映像光を反射して透過型スクリーン２０に投射してもよい。
【００９４】
また、加飾シート（透過型スクリーン）２０は、上述した各部材以外の部材を具備してもよく、特定の機能を発揮することを期待された他の機能層が設けられてもよい。その場合、単一の機能層が２以上の機能を発揮してもよく、上述の各層のうちの少なくとも１つの要素に他の機能を付与してもよい。加飾シート（透過型スクリーン）２０に付与されうる機能は特に限定されないが、一例として、耐擦傷性を発揮するハードコート（ＨＣ：Ｈａｒｄ  Ｃｏａｔｉｎｇ）機能、防汚機能、防眩（ＡＧ：Ａｎｔｉ−Ｇｌａｒｅ）機能及び反射防止（ＡＲ：Ａｎｔｉ−Ｒｅｆｌｅｃｔｉｏｎ）機能等が挙げられる。
【００９５】
以上において上述した実施の形態に対するいくつかの変形例を説明してきたが、当然に、複数の変形例を適宜組み合わせて適用することも可能である。
【符号の説明】
【００９６】
１０    表示装置
１５    映像光源
１６    画像形成装置
１６ａ  画像形成面
１７    画像形成装置
２０    透過型スクリーン、加飾シート
２１    入光面
２２    出光面
２５    光拡散層
２５ａ  基部
２５ｂ  突出部
２６    遮光部
２７    遮蔽部
３０    加飾層
３１    絵柄部
３２    透過部
４０    光制御層
４１    第１部分
４５    第２部分
４６    基部
４７    界面
【図１】
2018163344.tif 000003
【図２】
2018163344.tif 000004
【図３】
2018163344.tif 000005
【図４】
2018163344.tif 000006
【図５】
2018163344.tif 000007
【図６】
2018163344.tif 000008
【図７】
2018163344.tif 000009
【図８】
2018163344.tif 000010
【図９】
2018163344.tif 000011
【図１０】
2018163344.tif 000012
【図１１】
2018163344.tif 000013
【図１２】
2018163344.tif 000014
【図１３】
2018163344.tif 000015
【図１４】
2018163344.tif 000016
【図１５】
2018163344.tif 000017